(57)【特許請求の範囲】
【請求項１】
複数の居室機（３ａ、３ｂ、３ｃ）と、前記居室機相互の呼出、通話を制御する制御機（４）とから構成され、前記制御機と前記複数の居室機間は、居室機毎に接続される端子台（１ａ、１ｂ、１ｃ）を経由して送り配線（５ａ、５ｂ、５ｃ、６ａ、６ｂ、６ｃ）接続されるインターホン装置において、前記端子台は、前記端子台に接続された前記居室機が取り外されたことを検知して前記居室機をパスする経路（１９、２０、１１、１２、１３、１４、１６、１７、２５、２６）と、前記端子台に接続された最終端の居室機（３ｃ）が前記端子台より取り外されたことを検知して前記最終端の居室機をパスし、終端部（１８）に接続する経路（１９。２０、１１、１２、１３、１４、１６、１７）を備えたことを特徴とするインターホン装置。
【請求項２】
前記端子台は終端部（１８）を内蔵し、前記端子台に接続された最終端の居室機（３ｃ）が前記端子台より取り外されたことを検知して前記最終端の居室機をパスし、前記終端部に接続する経路（１９。２０、１１、１２、１３、１４、１６、１７）を備えたことを特徴とする請求項１に記載のインターホン装置。
【発明の詳細な説明】
【０００１】
【発明の属する技術分野】
本発明はインターホン装置に係り、特に居室機を取り外したとき、送り配線が分断されないようにパスするインターホン装置に関する。
【０００２】
【従来の技術】
従来から、この種のインターホン装置として、図４に示すインターホン装置が知られている。図４において、インターホン装置は室内に設置され、同様に構成される居室機１０３ａ、１０３ｂ、１０３ｃと、居室機の近傍に設置され、同様に構成される複数の端子台１０１ａ、１０１ｂ、１０１ｃと、収納部などに設置される制御機１０４と、配線の終端に付加される終端器１０７で構成され、制御機１０４から送り配線１０５ａ、送り配線１０６ａにより端子台１０１ａの端子６９、端子７０、端子７１、端子７２を経由し居室機１０３ａの端子８７、端子８８に接続される。居室機１０３ａの端子８９、端子９０は端子台１０１ａの端子７３、端子７４、端子７５、端子７６を経由し送り配線１０５ｂ、送り配線１０６ｂに接続される。送り配線１０５ｂ、送り配線１０６ｂは同様に端子台１０１ｂを経由して居室機１０３ｂに接続される。最終端の居室機１０３ｃの端子８９、端子９０は同様に送り配線１０５ｄ、送り配線１０６ｄを介し終端器１０７に接続される。
【０００３】
端子台１０１の詳細図を図５に示す。端子台１０１は端子６９、端子７０、端子７１、端子７２、端子７３、端子７４、端子７５、端子７６により構成され、端子６９と端子７１が、端子７０と端子７２が、端子７３と端子７５が、端子７４と端子７６がそれぞれ結ばれている。
【０００４】
居室機１０３のブロック図を図６に示す。居室機１０３は端子８７、端子８８、端子８９、端子９０、入出力回路部８１、コントロール部９３、通話制御部８２、送受器８３、呼出音発生部８４、スピーカ９４、操作部８５、電源部８６により構成され、電源部８６は各部に電源を供給し、端子８７、端子８８、端子８９、端子９０は入出力回路部８１に接続される。入出力回路部８１はコントロール部９３、通話制御部８２に接続される。コントロール部９３は通話制御部８２、呼出音発生部８４、操作部８５に接続される。送受器８３は通話制御部８２に接続される。呼出音発生部８４はスピーカ９４に接続される。
【０００５】
以下図４、図５、図６に従い、従来のインターホン装置の動作を説明する。任意の居室機１０３の操作部８５で他の居室機１０３を呼出す発呼操作（詳述しない）を行うことによりコントロール部９３により生成された発呼信号が入出力回路部８１を経由し制御機１０４に対し送出される。発呼信号は発呼が居室機１０３ａの場合は居室機１０３ａの端子８７、端子８８及び端子台１０１ａの端子７１、端子７２及び端子６９、端子７０及び送り配線１０５ａ、送り配線１０６ａを経由し制御機１０４へ伝達される。また、発呼が居室機１０３ｂの場合は居室機１０３ｂの端子８７、端子８８及び端子台１０１ｂの端子７１、端子７２及び端子６９、端子７０及び送り配線１０５ｂ、送り配線１０６ｂを経由し端子台１０１ａの端子７５、端子７６及び端子７３、端子７４を経由し居室機１０３ａの端子８９、端子９０より居室機１０３ａの入出力回路部８１、コントロール部９３に伝達され、以降居室機１０３ａの発呼と同じ経路により制御機１０４へ伝達される。
【０００６】
制御機１０４は伝達された発呼信号に応じた被呼信号を居室機１０３に対し送出する。被呼が居室機１０３ａの場合は制御機１０４より送り配線１０５ａ、送り配線１０６ａを経由し端子台１０１ａの端子６９、端子７０及び端子７１、端子７２を介し、居室機１０３ａの端子８７、端子８８、居室機１０３ａの入出力回路部８１を経由しコントロール部９３に伝達される。また、被呼が居室機１０３ｂの場合はさらに居室機１０３ａの入出力回路部８１を経由し、居室機１０３ａの端子８９、端子９０、端子台１０１ａの端子７３、端子７４及び端子７５、端子７６、送り配線１０５ｂ、送り配線１０６ｂ、端子台１０１ｂの端子６９、端子７０及び端子７１、端子７２を介し、居室機１０３ｂの端子８７、端子８８を経由し居室機１０３ｂの入出力回路部８１及びコントロール部９３に伝達される。
【０００７】
自己あての被呼信号が伝達された居室機１０３は入出力回路部８１を経由しコントロール部９３の制御（詳述せず）により呼出音発生部８４にて呼出音を発生しスピーカ９４を駆動し呼出音を出力する。
呼出された居室機１０３にて通話操作（詳述せず）を行うことにより発呼信号と同じ経路を通じ通話信号が制御機１０４に伝達される。制御機１０４は通話信号を受信することにより通話路を開くと共に、発呼居室機１０３及び被呼居室機１０３は共に入出力回路部８１を経由しコントロール部９３の制御（詳述せず）により通話制御部８２を制御し、送受器８３、通話制御部８２、入出力回路部８１、端子８７、端子８８を経路とする通話路を開き、端子台１０１の端子７１、端子７２、端子６９、端子７０を経由し、送り配線１０５、送り配線１０６を通話線として使用し、発呼居室機１０３、被呼居室機１０３双方の送受器８３が接続されるので通話可能となる。
終端器１０７は安定して発呼信号、被呼信号、通話信号、通話が伝達されるように送り配線１０５、送り配線１０６の伝送特性を安定化している。
【０００８】
【発明が解決しようとする課題】
しかしながら、従来のインターホン装置では、居室機１０３ａと居室機１０３ｃが通話している間に居室機１０３ｂを取り外すと通話が途絶するという問題があった。
また、居室機１０３ｂが取り外されている間は居室機１０３ｃにかかる発呼信号、被呼信号の伝達ができないという問題があった。
【０００９】
また、居室機１０３ｃが切離されることにより終端器１０７が制御機１０４、居室機１０３ａ、居室機１０３ｂを結ぶ送り配線１０５、送り配線１０６より切離されるため安定した発呼信号、被呼信号、通話信号、通話の伝達ができないという問題があった。
本発明はこのような難点を解消するためになされたもので、居室機の取り外しを検知し居室機をパスすることにより送り配線を分断することなく、安定に発呼信号、被呼信号、通話信号、通話の伝達を行うことを目的とする。
【００１０】
【課題を解決するための手段】
上記の目的を達成するため、本発明によるインターホン装置は、複数の居室機相互の呼出、通話を制御する制御機、制御機から送り配線によって順次端子台を経由し接続される複数の居室機から構成されるインターホン装置において、端子台は、端子台に接続された居室機が取り外されたことを検知して居室機をパスする経路を備える。
【００１１】
また、前記端子台は終端部を内蔵し、端子台に接続された最終端の居室機が端子台より取り外されたことを検知して最終端の居室機をパスし、終端部に接続する経路を備える。
【００１２】
このインターホン装置において、端子台において居室機が切離されたことを検知し、居室機をパスする経路により送り配線を接続する機能を備え、他の居室機の発呼、被呼、通話に影響を及ぼすこと無く居室機の切離しができる。
また、端子台の終端器を内蔵し必要に応じて居室機が切離されたことを検知し、最終端の居室機をパスする経路により送り配線を終端器に接続できる機能を備え、居室機を切離しても安定した発呼信号、被呼信号、通話信号、通話の伝達ができる。
【００１３】
【発明の実施の形態】
以下、本発明によるインターホン装置の好ましい一実施例を図面を参照して詳述する。
図１は本発明の一実施例を示すブロック図で、図１において、インターホン装置は室内に設置され、同様に構成される複数の居室機３と、居室機３の近傍に設置され、同様に構成される複数の端子台１と、収納部などに設置される制御機４で構成され、制御機４より送り配線５ａ、送り配線６ａにより端子台１ａの端子１９、端子２０に接続される。端子台１ａの端子２５、端子２６は送り配線５ｂ、送り配線６ｂにより端子台１ｂの端子１９、端子２０に接続される。端子台１ｂの端子２５、端子２６は送り配線５ｃ、送り配線６ｃにより端子台１ｃの端子１９、端子２０に接続される。端子台１ｃの端子２５、端子２６は何も接続されない。
【００１４】
端子台１ａの端子２１、端子２２は居室機３ａの端子３７、端子３８に、端子台１ａの端子２３、端子２４は居室機３ａの端子３９、端子４０に、端子台１ａの端子２７、端子２８は居室機３ａの端子４１、端子４２に接続される。
端子台１ｂと居室機３ｂ、端子台１ｃと居室機３ｃの間も端子台１ａと居室機３ａの間と同様に接続される。
【００１５】
端子台１の詳細図を図２に示す。端子台１は端子２７、端子２８にリレーコイル部１５が接続され、リレーの４つの接点はそれぞれ、端子１９をコモンとするリレー接点１１はブレーク側にリレー接点１３のブレーク側が、メーク側に端子２１が接続されている。端子２０をコモンとするリレー接点１２はブレーク側にリレー接点ｄ１４のブレーク側が、メーク側に端子２２が接続されている。ポイントｇをコモンとするリレー接点１３はブレーク側にリレー接点１１のブレーク側が、メーク側に端子２３が接続されている。ポイントｈをコモンとするリレー接点１４はブレーク側にリレー接点１２のブレーク側が、メーク側に端子２４が接続されている。また、ポイントｇをコモンとするスイッチ（ＳＷ）接点１６はＴ側に端子２５が、Ｓ側に終端部１８が接続されており、ポイントｈをコモンとするスイッチ（ＳＷ）接点１７はＴ側に端子２６が、Ｓ側に終端部１８が接続されている。
【００１６】
居室機３のブロック図を図３に示す。居室機３は端子３７、端子３８、端子３９、端子４０、端子４１、端子４２、入出力回路部３１、コントロール部４３、通話制御部３２、送受器３３、呼出音発生部３４、スピーカ４４、操作部３５、電源部３６により構成され、電源部３６は各部に電源を供給すると共に端子４１に端子台１のリレーコイル部１５を駆動するための電源を供給する。端子３７、端子３８、端子３９、端子４０は入出力回路部３１に接続され、入出力回路部３１はコントロール部３１、通話制御部３２に接続される。コントロール部４３は通話制御部３２、呼出音発生部３４、操作部３５に接続される。送受器３３は通話制御部３２に接続される。スピーカ４４は呼出音発生部３４に接続される。端子４２は居室機の基準電位に接続される。
【００１７】
以下図１、図２、図３に従い動作を説明する。端子台１ａ、端子台１ｂのスイッチ１６、１７は共にＴ側と閉成し、ポイントｈ、ポイントｇは端子２５、端子２６に接続されている。最終端の居室機３ｃに接続する端子台１ｃのスイッチ１６、１７はＳ側と閉成し、ポイントｈ、ポイントｇは終端部１８に接続されている。
【００１８】
居室機３と端子台１の接続により、居室機３の電源部３６、端子４１、端子台１の端子２７、リレーコイル部１５、端子台１の端子２８、居室機３の端子４２基準電位の経路ができるため端子台１のリレーは駆動されコモンはメーク側に閉成する。これにより端子台１の端子１９はリレー接点１１を経由し端子２１に接続される。端子台１の端子２０はリレー接点１２を経由し端子２２に接続される。端子台１のポイントｇはリレー接点１３を経由し端子２３に接続される。端子台１のポイントｈはリレー接点１４を経由し端子２４に接続される。
【００１９】
従って、端子台１ａ、端子台１ｂは端子２３はポイントｇを経由して端子２５に、端子２４はポイントｈを経由して端子２６に接続されている。端子台１ｃの端子２３はポイントｇを経由して、端子２４ポイントｈを経由して共に終端部１８に接続されている。
【００２０】
居室機３が端子台１より切離されることにより、居室機３の端子４１と端子台１の端子２７間、居室機３の端子４２と端子台１の端子２８間が切離される。これにより端子台１のリレーコイル部１５が駆動されなくなり、リレー接点１１、１２、１３、１４のコモンはブレーク側に閉成され、居室機３をパスする経路がリレー接点１１のブレーク、リレー接点１３のブレーク及びリレー接点１２のブレーク、リレー接点１４のブレークにより形成される。この時、端子台１の端子１９はリレー接点１１、リレー接点１３を経由しポイントｇに接続される。端子台１の端子２０はリレー接点１２、リレー接点１４を経由しポイントｈに接続される。なお、端子台１の端子２１、端子２２、端子２３、端子２４はリレー接点１１、リレー接点１２、リレー接点１３、リレー接点１４により開放となる。
【００２１】
任意の居室機３間の発呼、被呼、通話は従来のインターホン装置と同じ動作であるが、居室機３ａと居室機３ｃが通話している間に居室機３ｂを切離すと端子台１ｂのリレーが自動的にブレーク側となり端子１９は端子２５に、端子２０は端子２６に接続されるため、居室機３ａと居室機３ｃの通話が途絶することは無い。
また、同様に居室機３ｃよりの発呼信号の伝達、居室機３ｃへの被呼信号の伝達、居室機３ｃと他の居室機３との通話には支障が無い。
【００２２】
また、居室機３ｃが切離された場合、端子台１ｃのリレー接点１１、１２、１３、１４がブレーク側となり、居室機３をパスする経路がリレー接点１１のブレーク、リレー接点１３のブレーク及びリレー接点１２のブレーク、リレー接点１４のブレークにより形成される。これにより端子１９、端子２０は終端部１８に接続されるため、居室機３ｃの接続、切離しによらず送り配線５、送り配線６に終端部１８が接続されるので安定した発呼信号、被呼信号、通話信号、通話の伝達が保てる。
【００２３】
なお、上記実施例では送り配線を送り配線５、送り配線６の２線とし端子台１のリレー接点を４接点を用いて説明したが、送り配線１線あたりリレー接点の数を２接点使用することで送り配線数２線以上に対応できる。また、上記実施例では居室機３から端子台１のリレーを電源の供給により駆動したが、端子台１のリレー駆動用電源は制御機４から各端子台１に共通で供給し、端子台１にリレー駆動制御回路を付加し居室機３から端子台１のリレー駆動制御信号を与えることで上記実施例と同様の効果を奏する。
また、上記実施例では呼出、通話に発呼信号、被呼信号、通話信号を用いて説明したが、他の手段であっても良く、制御機４を用いずに居室機３の間で呼出、通話が可能であっても良く上記実施例と同様の効果を奏する。
【００２４】
【発明の効果】
以上の説明から明らかなように、本発明のインターホン装置によれば、端子台において居室機が切離されたことにより自動的に送り配線を接続するため、保守点検、居室機の交換など任意の居室機を切離しても他の居室機の発呼、被呼、通話に影響を及ぼすこと無く居室機の切離しができ、端子台の終端器を内蔵し必要に応じて居室機が切離されたことにより自動的に送り配線を終端器に接続できるため、安定した発呼信号、被呼信号、通話信号、通話の伝達ができる。
【図面の簡単な説明】
【図１】本発明におけるインターホン装置の一実施例を示すブロック図。
【図２】本発明におけるインターホン装置の端子台の詳細図。
【図３】本発明におけるインターホン装置の居室機のブロック図。
【図４】従来のインターホン装置を示すブロック図。
【図５】従来のインターホン装置の端子台を示す詳細図。
【図６】従来のインターホン装置の居室機を示すブロック図。
【符号の説明】
１ａ、１ｂ、１ｃ・・・・端子台
３ａ、３ｂ、３ｃ・・・・居室機
４・・・・・・・・・・・制御機
５ａ、５ｂ、５ｃ・・・・送り配線
６ａ、６ｂ、６ｃ・・・・送り配線
１１、１２、１３、１４・・リレー接点
１５、１６・・・・・・・・スイッチ
１８・・・・・・・・・・・終端部
１９、２０、２１、２２・・端子
２３、２４、２５、２６・・端子
【図１】
0004200197.tif 000002
【図２】
0004200197.tif 000003
【図３】
0004200197.tif 000004
【図４】
0004200197.tif 000005
【図５】
0004200197.tif 000006
【図６】
0004200197.tif 000007